(57)【要約】【課題】デザイン性に優れた透明カードを提供する。【解決手段】  透明カードは、正面被膜の下方に透明正面基材を設け、透明正面基材の上面に一般インクで印刷し、透明正面基材の下面に特殊インクで印刷し、特殊インクの下方に透明中間層基材を設け、透明中間層基材の下方に透明背面基材を設け、透明背面基材の上面に特殊インクで印刷し、透明背面基材の下面に一般インクで印刷し、一般インクの下方に背面被膜を設ける。特殊インクで赤外線を遮断し反射することにより、透明カードを金融ＡＴＭに挿入すると特殊インクが識別光線の透明カード透過を遮断して、金融ＡＴＭがカードの存在を認識でき、カードの関連機能を発揮できる。特殊インクの使用で透明カードのデータが金融ＡＴＭで読み取れないという問題を克服するとともに、透明カードの透明材質の特殊視覚効果により、実用性、斬新性を具える。【選択図】  図２
0003102849.tif 000002
【実用新案登録請求の範囲】
【請求項１】
一層の正面被膜、二層の一般インク、二層の特殊インク、一層の透明正面基材、一層の透明中間層基材、一層の透明背面基材、一層の背面被膜からなる透明カードであって、
該透明カードに特殊インクで印刷し、その特殊インクは光線を遮蔽し、赤外線を遮断し反射する作用を有することを特徴とする透明カード。
【請求項２】
正面被膜の下方に透明正面基材を設け、透明正面基材の上面に一般インクで印刷し、透明正面基材の下面に特殊インクで印刷し、その特殊インクと透明背面基材上面に印刷する特殊インクにより、識別光線の透明カード透過を遮断し、特殊インクの下方に透明中間層基材を設け、透明中間層基材により、透明正面基材と透明背面基材を結合し、透明中間層基材の下方に透明背面基材を設け、透明背面基材の上面に特殊インクで印刷し、透明背面基材の下面に一般インクで印刷し、一般インクの下方に背面被膜を設け、特殊インクにより光線を遮蔽するようにしたことを特徴とする請求項１記載の透明カード。
【請求項３】
特殊インクは光線を遮蔽し、赤外線を遮断及び反射する効果を具えるインクであることを特徴とする請求項1記載の透明カード。
【請求項４】
透明正面基材と透明中間層基材と透明背面基材は透明な材質であることを特徴とする請求項１記載の透明カード。
【考案の詳細な説明】
【技術分野】
【０００１】
本考案は、金融ＡＴＭなどに使用する透明カードの技術分野に属する。
【背景技術】
【０００２】
従来より金融ＡＴＭなどに使用する光カードは、例えば、特許文献１に開示されている。
公知のカードＧは、図１に示すように、正面被膜Ａ、一般インクＢ、Ｄ、正面基材Ｃ、背面基材Ｅ、背面被膜Ｆから成る。図３に示すように光線非透過の正面基材Ｃと背面基材Ｅにより、金融ＡＴＭにカードの存在を認識させることはできるが、市場商品の多様化と様々な消費者のニーズに面して、公知のカードの外観は一般のインクのディスプレイ効果しかなく、往々にして消費者の好奇心面でのニーズに対応できない。更に、何ら付加機能もないため、カード有効期限が過ぎれば保存の価値がなく、一般の使用者は皆これを廃棄し、ひいては環境汚染と資源浪費を招くといった問題点があった。
【特許文献１】特開平５−３３８３８５号公報
【考案の開示】
【考案が解決しようとする課題】
【０００３】
本考案は、上述の欠点を解決し、デザイン性に優れたカードであって、消費者の好奇心面でのニーズに対応でき、環境汚染と資源浪費を防ぐカードを提供するものである。
【課題を解決するための手段】
【０００４】
上記課題を解決するために、請求項１の考案は、一層の正面被膜、二層の一般インク、二層の特殊インク、一層の透明正面基材、一層の透明中間層基材、一層の透明背面基材、一層の背面被膜からなる透明カードであって、該透明カードに特殊インクで印刷し、その特殊インクは光線を遮蔽し、赤外線を遮断し反射する作用を有することを特徴とする透明カードである。
請求項２の考案は、正面被膜の下方に透明正面基材を設け、透明正面基材の上面に一般インクで印刷し、透明正面基材の下面に特殊インクで印刷し、その特殊インクと透明背面基材上面に印刷する特殊インクにより、識別光線の透明カード透過を遮断し、特殊インクの下方に透明中間層基材を設け、透明中間層基材により、透明正面基材と透明背面基材を結合し、透明中間層基材の下方に透明背面基材を設け、透明背面基材の上面に特殊インクで印刷し、透明背面基材の下面に一般インクで印刷し、一般インクの下方に背面被膜を設け、特殊インクにより光線を遮蔽するようにしたことを特徴とする請求項１記載の透明カードである。
請求項３の考案は、特殊インクは光線を遮蔽し、赤外線を遮断及び反射する効果を具えるインクであることを特徴とする請求項1記載の透明カードである。
請求項４の考案は、透明正面基材と透明中間層基材と透明背面基材は透明な材質であることを特徴とする請求項１記載の透明カードである。
【０００５】
すなわち、特に特殊インクで利用して光線を遮蔽することによって、透明カードを金融ＡＴＭに挿入した時、特殊インクが識別光線の透明カード透過を遮断し、金融ＡＴＭがカードの存在を認識して各関連機能が正常に作動するようにできると共に、透明正面基材、透明中間層基材、透明背面基材により特殊な視覚効果を得ることができる透明カードである。
【考案の効果】
【０００６】
本考案は次のような数々の効果がある。１．特殊インクで識別光線が透明カードを透過するのを遮断することにより、金融ＡＴＭにカードの存在を認識させ、各種機能を実行させることができる。２．透明正面基材、透明中間層基材、透明背面基材により特殊な視覚効果が得られる。３．保存価値がある。４．実質的な経済効果がある。５．先進的である。６．実用性がある。７．産業競争力がある。
【考案を実施するための最良の形態】
【０００７】
本考案の実施例を図面に沿って説明するが、本実施例の透明カードは、図２に示すように、一層の正面被膜１、二層の一般インク２、６、二層の特殊インク３、７、一層の透明正面基材４、一層の透明中間層基材５、一層の透明背面基材８、一層の背面被膜９により構成されている。
【０００８】
そして、正面被膜１の下方に透明正面基材４を設け、透明正面基材４の上面に一般インク２を印刷し、透明正面基材４の下面に特殊インク３を印刷し、特殊インク３、７により認識光線が透明カード１０を透過するのを遮断して、金融ＡＴＭが透明カード１０の存在を認識して各種機能を実行できるようにする。特殊インク３の下方に透明中間層基材５を設け、透明中間層基材５により透明正面基材４と透明背面基材８とを結合する。透明中間層基材５の下方に透明背面基材８を設け、透明背面基材８の上面に特殊インク７を印刷し、透明背面基材８の下面に一般インク６を印刷し、一般インク６の下方に背面被膜９を設け、特殊インク３、７が光線を遮蔽することによって、透明カード１０を金融ＡＴＭに挿入した時、特殊インクが認識光線の透明カード透過を遮断して、ＡＴＭが透明カードの存在を認識して各種機能をスムーズに実行できるようにし、更に透明カード１０の透明材質により特殊な視覚効果を得る（図４に示す）。
【０００９】
上記特殊インク３、７は、光線遮蔽と、赤外線遮断及び反射の効果を具える。また、本考案の透明カード１０の製造工程は、図５に示すように、先ず、デザイン企画１１から始まり、一次イメージ原稿１２、原稿決定１３、カラー印刷出力１４、校正１５、フィルム出力１６、製版１７、印刷１８、中間検査丁合１９、磁気ストライプ貼付２０、多層自動プレス２１、自動打抜き２２、外観検査２３、箔押し、サインパネル２４、パッケージング２５、後加工２６、製品検査２７、梱包入庫２８の順の工程で本考案の実施例の透明カード１０の製造が完了する。
【００１０】
本考案の透明カード１０は、本考案の特徴を損なうことがなければ、上記実施例に限定されることはなく、例えば、一般カード、金融カード、クレジットカード、ＩＣカードなど、各種カードに適用できる。
【図面の簡単な説明】
【００１１】
【図１】公知カードの立体分解図である。
【図２】本考案の実施例の立体分解図である。
【図３】公知カードの略図である。
【図４】本考案の実施例の略図である。
【図５】本考案の実施例の製造工程図である。
【符号の説明】
【００１２】
Ａ    正面被膜
Ｂ、Ｄ      一般インク
Ｃ    正面基材
Ｆ    背面基材
Ｇ    公知カード
１    正面被膜
２、６      一般インク
３、1 特殊インク
４    透明正面基材
５    透明中間層基材
８    透明背面基材
９    背面被膜
１０  透明カード
１１  デザイン企画
１２  一次イメージ原稿
１３  原稿決定
１４  カラー印刷出力
１５  校正
１６  フィルム出力
１７  製版
１８  印刷
１９  中間検査丁合
２０  磁気ストライプ貼付
２１  多層自動プレス
２２  自動打抜き
２３  外観検査
２４  箔押し、サインパネル
２５  パッケージング
２６  後加工
２７  製品検査
２８  梱包入庫
【図１】
0003102849.tif 000003
【図２】
0003102849.tif 000004
【図３】
0003102849.tif 000005
【図４】
0003102849.tif 000006
【図５】
0003102849.tif 000007
【手続補正書】
【提出日】平成16年2月19日(2004.2.19)
【手続補正１】
【補正対象書類名】実用新案登録請求の範囲
【補正対象項目名】全文
【補正方法】変更
【補正の内容】
【実用新案登録請求の範囲】
【請求項１】
一層からなる正面被膜、その下方に一層からなる透明正面基材、透明中間層基材、透明背面基材、背面被膜を順次重ね合わせるとともに、前記透明正面基材と前記透明背面基材の二層の上面には一般インクを下面には特殊インクを印刷した透明カードであって、
該透明カードに特殊インクで印刷し、その特殊インクは光線を遮蔽し、赤外線を遮断し反射する作用を有することを特徴とする透明カード。
【請求項２】
正面被膜の下方に透明正面基材を設け、透明正面基材の上面に一般インクで印刷し、透明正面基材の下面に特殊インクで印刷し、その特殊インクと透明背面基材上面に印刷する特殊インクにより、識別光線の透明カード透過を遮断し、特殊インクの下方に透明中間層基材を設け、透明中間層基材により、透明正面基材と透明背面基材を結合し、透明中間層基材の下方に透明背面基材を設け、透明背面基材の上面に特殊インクで印刷し、透明背面基材の下面に一般インクで印刷し、一般インクの下方に背面被膜を設け、特殊インクにより光線を遮蔽するようにしたことを特徴とする請求項１記載の透明カード。
【請求項３】
前記特殊インクは光線を遮蔽し、赤外線を遮断及び反射する効果を具えるインクであることを特徴とする請求項1記載の透明カード。
【請求項４】
前記透明正面基材と前記透明中間層基材と前記透明背面基材は透明な材質であることを特徴とする請求項１記載の透明カード。
【手続補正２】
【補正対象書類名】明細書
【補正対象項目名】０００４
【補正方法】変更
【補正の内容】
【０００４】
上記課題を解決するために、請求項１の考案は、一層からなる正面被膜、その下方に一層からなる透明正面基材、透明中間層基材、透明背面基材、背面被膜を順次重ね合わせるとともに、前記透明正面基材と前記透明背面基材の二層の上面には一般インクを下面には特殊インクを印刷した透明カードであって、
該透明カードに特殊インクで印刷し、その特殊インクは光線を遮蔽し、赤外線を遮断し反射する作用を有することを特徴とする透明カードである。
請求項２の考案は、正面被膜の下方に透明正面基材を設け、透明正面基材の上面に一般インクで印刷し、透明正面基材の下面に特殊インクで印刷し、その特殊インクと透明背面基材上面に印刷する特殊インクにより、識別光線の透明カード透過を遮断し、特殊インクの下方に透明中間層基材を設け、透明中間層基材により、透明正面基材と透明背面基材を結合し、透明中間層基材の下方に透明背面基材を設け、透明背面基材の上面に特殊インクで印刷し、透明背面基材の下面に一般インクで印刷し、一般インクの下方に背面被膜を設け、特殊インクにより光線を遮蔽するようにしたことを特徴とする請求項１記載の透明カードである。
請求項３の考案は、前記特殊インクは光線を遮蔽し、赤外線を遮断及び反射する効果を具えるインクであることを特徴とする請求項1記載の透明カードである。
請求項４の考案は、前記透明正面基材と前記透明中間層基材と前記透明背面基材は透明な材質であることを特徴とする請求項１記載の透明カードである。